(57)【要約】【課題】  テレビジョン放送電波の受信状態が悪い時に、テレビジョンチューナ回路を除いた復号回路、液晶表示器、電源回路等をオフにして消費電力低減を行うと共に、テレビジョン放送電波の受信状態をユーザに報知してユーザの誤認や不安感を解消することができる携帯端末を提供する。【解決手段】  ＴＶ受信部５は、ＴＶ電波の受信強度を測定し、受信強度信号５ａを制御部３へ送出する。制御部３は、受信強度信号５ａがＴＶ受信画像としておおむね良好な映像が得られる所定値以上かどうかをチェックして、所定値以上の場合には、電源オンオフ部９をオンにして、デコーダ６、ＬＣＤコントローラ７、ＬＣＤ表示部８へ電源を供給する。受信強度信号５ａが所定値以下の場合には、電源オンオフ部９をオフにして電源供給を停止すると共に、受信強度信号５ａに対応してＬＥＤ表示部４の表示の種類を制御し、ＬＥＤ表示部４に表示させる。【選択図】  図１
2006180178.tif 000002
【特許請求の範囲】
【請求項１】
テレビジョン放送電波を受信して各チャンネルの受信状態を測定すると共に復調処理を行うテレビジョン受信手段と、
前記復調処理後の信号を復号処理してテレビジョン画像データを出力する復号手段と、
前記テレビジョン画像データを主表示用に制御する主表示制御手段と、
前記テレビジョン画像を表示する主表示手段と、
前記受信状態を表示する副表示手段と、
前記受信状態が良好な時に前記復号手段、主表示制御手段、主表示手段を能動状態にし、前記受信状態が良好でない時に前記復号手段、主表示制御手段、主表示手段を省電力状態にすると共に前記受信状態に対応した表示制御を前記副表示手段に対して行う制御手段とを
具備することを特徴とする携帯端末。
【請求項２】
テレビジョン放送電波を受信して各チャンネルの受信状態を測定すると共に復調処理を行うテレビジョン受信手段と、
前記復調処理後の信号を復号処理してテレビジョン画像データを出力する復号手段と、
前記テレビジョン画像データを主表示用に制御する主表示制御手段と、
前記テレビジョン画像を表示する主表示手段と、
前記受信状態を表示する副表示手段と、
折り畳み式の蓋を有する筐体と、
前記蓋の開閉を検出する蓋開閉検出手段と、
前記蓋が開いた状態かつ前記受信状態が良好な時に前記復号手段、主表示制御手段、主表示手段を能動状態にし、前記蓋が開いた状態かつ前記受信状態が良好でない時に前記復号手段、主表示制御手段、主表示手段を省電力状態にすると共に前記受信状態に対応した表示制御を前記副表示手段に対して行い、前記蓋が閉じた状態の時に前記受信状態に対応した表示制御を前記副表示手段に対して行う制御手段とを
具備することを特徴とする携帯端末。
【請求項３】
前記受信状態は、受信電界強度であり、前記受信状態が良好な状態は、良好なテレビジョン画像が得られる予め決められた受信電界強度の値であることを特徴とする請求項１又は２に記載の携帯端末。
【請求項４】
前記受信状態は、テレビジョンチャンネルの同調確定の有無状態であり、前記受信状態が良好な状態は、同調が確定した状態であることを特徴とする請求項１又は２に記載の携帯端末。
【請求項５】
前記副表示手段は、１個または複数のＬＥＤ、または液晶表示デバイスであることを特徴とする請求項１又は２に記載の携帯端末。
【発明の詳細な説明】
【技術分野】
【０００１】
本発明は、テレビジョン放送受信機能付きの携帯端末に関し、特にテレビジョン放送電波の受信電界強度により表示部の制御を行う携帯端末に関する。
【背景技術】
【０００２】
（背景技術１）
テレビジョン放送電波の受信状態を検出して、映像表示をオンオフ制御するテレビジョン受像機がある（例えば、特許文献１参照。）。  
この特許文献１のテレビジョン受像機にあっては、テレビジョン放送電波の受信状態を検出して、受信強度が所定値以下の時には自動的にブラウン管（または液晶表示装置）および映像信号増幅部を停止して、消費電力を低減している。受信強度が所定値以上の時には自動的にブラウン管および映像信号増幅部を動作状態にしている。また、ブラウン管および映像信号増幅部を停止したときに故障と誤認されることを防ぐために、別の例として、受信強度が所定値以下の時にはブラウン管および映像信号増幅部は動作させたままで、目障りな受信状態の悪いテレビジョン映像表示は行わずに、受信状態が悪い旨を報知するブラウン管表示に切り換えている。
【０００３】
（背景技術２）
テレビジョンチューナ回路や液晶ディスプレーを内蔵したチューナ装置（パーソナルコンピュータや液晶テレビ等）がある（例えば、特許文献２参照。）。  
この特許文献２のパーソナルコンピュータにあっては、テレビジョン電波の受信感度が微弱な状態ではテレビジョンチューナ回路の電源を遮断して消費電力を減らしている。テレビジョンチューナ回路は、周波数分離回路、同調回路、復調回路等を内蔵している。
【特許文献１】特開平４−２３７２７５号公報（第３〜４頁、図２、図３、図５、図６）
【特許文献２】特開平１１−２３４５８２号公報（第３〜５頁、図１、図４、図５）
【発明の開示】
【発明が解決しようとする課題】
【０００４】
従来の背景技術１に開示されたテレビジョン受像機では、テレビジョン放送電波の受信強度が所定値以下の時には消費電力を低減するためにブラウン管を停止してしまうので、受信状態が悪い旨をユーザに報知することができない。つまり、消費電力低減と受信状態が悪い旨の報知とが両立できないという問題があった。
【０００５】
従来の背景技術２に開示されたパーソナルコンピュータにあっては、テレビジョン電波の受信感度が微弱な状態ではテレビジョンチューナ回路の電源を遮断して消費電力を減らしているので、従来の背景技術１に開示されたテレビジョン受像機と同様、消費電力低減と受信状態が悪い旨の報知とが両立できないという問題があった。
【０００６】
本発明は、上記の問題点を解決するためになされたもので、テレビジョン放送電波の受信状態が悪い時に、テレビジョンチューナ回路を除いた復号回路、液晶表示器、電源回路等をオフにして消費電力低減を行うと共に、テレビジョン放送電波の受信状態をユーザに報知してユーザの誤認や不安感を解消することができる携帯端末を提供することを目的とする。
【課題を解決するための手段】
【０００７】
上記目的を達成するために、本発明の携帯端末は、テレビジョン放送電波を受信して各チャンネルの受信状態を測定すると共に復調処理を行うテレビジョン受信手段と、前記復調処理後の信号を復号処理してテレビジョン画像データを出力する復号手段と、前記テレビジョン画像データを主表示用に制御する主表示制御手段と、前記テレビジョン画像を表示する主表示手段と、前記受信状態を表示する副表示手段と、前記受信状態が良好な時に前記復号手段、主表示制御手段、主表示手段を能動状態にし、前記受信状態が良好でない時に前記復号手段、主表示制御手段、主表示手段を省電力状態にすると共に前記受信状態に対応した表示制御を前記副表示手段に対して行う制御手段とを具備することを特徴とする。
【発明の効果】
【０００８】
テレビジョン放送電波の受信状態が悪い時に、テレビジョンチューナ回路を除いた復号回路、液晶表示器、電源回路等をオフにして消費電力低減を行うと共に、テレビジョン放送電波の受信状態をユーザに報知してユーザの誤認や不安感を解消することが可能となる。
【発明を実施するための最良の形態】
【０００９】
以下、本発明の実施例を、図面を参照して説明する。  
図１は、本発明の実施例に係る携帯端末のＴＶ機能関連の主要部の構成を示すブロック図である。携帯端末１００の主要部は、ＴＶアンテナ１、蓋開閉スイッチ２、制御部３、ＬＥＤ表示部４、ＴＶ受信部５、デコーダ６、ＬＣＤコントローラ７、ＬＣＤ表示部８、電源オンオフ部９などから構成される。  
ＴＶアンテナ１で受信されたＴＶ受信電波は、ＴＶ受信部５に入力される。ＴＶ受信部５は、いわゆるテレビジョンチューナであり、制御部３から順次指示されたＴＶチャンネルをスキャンして受信強度を測定し、受信強度信号５ａを制御部３へ送出する。なお、受信強度測定ではなく、ＴＶ受信部５のＡＦＴ（自動周波数調整）信号によりＴＶチャンネルの同調が取れたことを表す同調確定信号５ａとしてもよい。また、ＴＶ受信部５は、ＴＶ各チャンネルを復調処理してデコーダ６へ送出する。
【００１０】
デコーダ６は、符号化されたＴＶ動画像を復号処理してＬＣＤコントローラ７へ送出する。ＬＣＤコントローラ７は、ＬＣＤ表示するための処理を行ってＴＶ画像をＬＣＤ表示部８へ送出する。ＬＣＤ表示部８は、主表示手段であり、ＴＶ動画像を表示する。電源オンオフ部９は、制御部３からのオンオフ制御信号３ａにより制御されて、図示しない電源部からの供給電源Ｖｄｄを、デコーダ６、ＬＣＤコントローラ７、ＬＣＤ表示部８へ供給オンオフするスイッチである。  
なお、デコーダ６は、復号処理のみではなく、ＴＶ受信部５が常時行う受信強度測定や同調処理を行う部分を除いた部分をデコーダ６の中に含めて、前述の電源オンオフ制御を受けてもよい。
【００１１】
蓋開閉スイッチ２は、折り畳み式携帯端末の蓋の開閉を検出し、蓋開閉信号２ａを制御部３へ送出する。ＬＥＤ表示部４は、蓋を閉じた状態でもユーザに認識できる位置に取り付けられる。  
制御部３は、受信強度信号５ａや蓋開閉信号２ａを入力として、電源オンオフ部９やＬＥＤ表示部４などの制御を行う。制御部３の動作詳細について以下に説明する。
【００１２】
図２は、本発明の実施例に係る携帯端末の制御部３のＴＶモードにおける動作フローチャートである。ユーザが携帯端末の操作部（図示せず）を操作してＴＶモードを指定すると、制御部３は、ＴＶモードに入る（ステップＳ１）。ＴＶモードでは、ＴＶチャンネルをサーチして、各チャンネルの受信強度を測定する（ステップＳ２）。次に、蓋の開閉状態をチェックし（ステップＳ３）、蓋が開かれた状態であれば（ステップＳ３で「開」）、ステップS２で測定した各ＴＶチャンネルの受信強度が所定値以上かどうかをチェックする（ステップＳ４）。この所定値は、ＴＶ受信画像としておおむね良好な映像が得られる受信強度であり、予め決めておく。そして、所定値以上のチャンネルが１つでもあれば、電源オンオフ部９をオンにして、デコーダ６、ＬＣＤコントローラ７、ＬＣＤ表示部８へ電源を供給する（ステップＳ５）。そして、ＬＣＤ表示部８へのＴＶ受信画像表示を起動する（ステップＳ６）。
【００１３】
次に、ステップS２で測定した各ＴＶチャンネルの受信強度状態をＬＥＤ表示部４に表示制御する（ステップＳ７）。この表示形態はいろいろあり、例えば、搭載されているＬＥＤの数が多い場合には、各チャンネルとＬＥＤとを１対１で対応させて、各チャンネルの受信強度をＬＥＤ毎に色を変えて表示したり、点滅パターンを変えて表示する。色としては、例えば、ＴＶ受信画像としておおむね良好な映像が得られる所定値以上の受信強度であれば青色とし、良好な映像が得られない受信強度であれば赤色とし、中間の受信強度であれば黄色とする。なお、いずれかの状態を無点灯状態としてもよい。さらに点滅を組み合わせてもよい。  
このように、蓋が開いた状態では、ユーザは、ＬＣＤ表示部８でＴＶ受信画像を見ることができると共に、ＬＥＤ表示部４で他のＴＶチャンネルの受信強度を知ることができる。
【００１４】
なお、搭載されているＬＥＤの数が少ない場合には、受信強度の最も大きいチャンネルの受信強度を色を変えて表示したり、点滅パターンを変えて表示してもよい。  
また、ＬＣＤ表示部８にＴＶ受信画像が表示されているため、ＬＥＤ表示部４への受信強度表示がなくても、ユーザは不安になることはないので、ステップＳ７を削除してもよい。
【００１５】
前記ステップＳ４において、受信強度が所定値以上のチャンネルが１つもない場合（ステップＳ４で「全チャンネルが所定値以下」）、良好な映像が得られないので電源オンオフ部９をオフにして、消費電力の大きいデコーダ６、ＬＣＤコントローラ７、ＬＣＤ表示部８への電源供給を停止する（ステップＳ８）。そして、ＬＣＤ表示部８へのＴＶ受信画像表示をオフにする（ステップＳ９）。そして、ステップS２で測定した各ＴＶチャンネルの受信強度状態をＬＥＤ表示部４に表示制御する（ステップＳ１０）。この表示形態は、ステップＳ７と同様である。  
このように、全チャンネルの受信強度が所定値以下の場合には、ＬＣＤ表示部８にＴＶ受信画像が映っていないが、ユーザは、ＬＥＤ表示部４でＴＶチャンネルの受信強度が所定値以下であることを知ることができて、ＴＶモードなのに何も映らないという不安感を解消することができる。
【００１６】
前記ステップＳ３において、閉じられた状態であれば（ステップＳ３で「閉」）、ステップS２で測定した各ＴＶチャンネルの受信強度状態をＬＥＤ表示部４に表示制御する（ステップＳ１１）。  
なお、蓋が閉じているため、ＬＣＤ表示部をユーザが見ることはできないので、ステップＳ８、Ｓ９と同様に、電源オンオフ部９のオフ、ＬＣＤ表示部８へのＴＶ受信画像表示のオフを行ってもよい。また、受信強度に応じて、電源オンオフ部９のオンオフ制御、ＬＣＤ表示部８へのＴＶ受信画像表示のオンオフ制御を行ってもよい。
【００１７】
このように、蓋が閉じた状態の時でも、ユーザは、ＬＥＤ表示部４でＴＶチャンネルの受信強度を知ることができるので、所定値以上の受信強度表示となった時に蓋を開けば、ＬＣＤ表示部８で良好なＴＶ受信画像を見ることができる。  
なお、蓋の開閉チェック（ステップＳ３）を省略してもよい。その場合、同様に、全チャンネルの受信強度が所定値以下の場合には、ＬＣＤ表示部８にＴＶ受信画像が映っていないが（ステップＳ８、Ｓ９）、ユーザは、ＬＥＤ表示部４でＴＶチャンネルの受信強度が所定値以下であることを知ることができて（ステップＳ１０）、不安感を解消することができる。
【００１８】
以上のステップＳ２〜Ｓ１０の状態を繰り返すことにより、蓋の開閉状態や受信状態に応じた表示制御を行うことができる。  
なお、受信状態は環境により頻繁に変化するので、受信強度が所定値近辺ではＬＣＤ表示部８でのＴＶ受信画像表示（ステップＳ５、Ｓ６）とＬＣＤ表示部８でのＴＶ受信画像表示オフ（ステップＳ８、Ｓ９）とが頻繁に切り替わる。これを防ぐために、ステップＳ４での所定値判断は、Ｓ５へ移行する場合の所定値とＳ８へ移行する場合の所定値とを若干異なる値にして、ヒステリシスを持たせてもよい。
【００１９】
また、ＴＶ受信画像としておおむね良好な映像が得られる判断として、受信強度所定値により判断したが、ＴＶ受信部５のＡＦＴ（自動周波数調整）信号によりＴＶチャンネルの同調が取れたことを表す同調確定信号により判断したり、その他の判断であってもよい。それらの判断に従って、ＬＣＤでのＴＶ受信画像表示やＬＥＤ表示を行ってもよい。
【００２０】
また、受信強度の表示は、ＬＥＤ表示部４に限らず、消費電力の小さい副ＬＣＤ表示部（図示せず）に表示するようにしてもよい。また、受信強度の報知は、表示に限らず、スピーカ（図示せず）の音やバイブレータ（図示せず）の振動により行ってもよい。
【００２１】
また、電源オンオフ部９により、デコーダ６、ＬＣＤコントローラ７、ＬＣＤ表示部８への電源供給を一括制御したが、個別に制御してもよい。また、電源供給のオンオフではなく、スリープモードを有するデバイスであれば、スリープ／ウェイクアップを制御して、省電力状態と能動状態を切り替えてもよい。
【００２２】
実施例によれば、良好な映像が得られない場合に消費電力を低減することができる。この時、ユーザがＴＶモードを指定しているにも関わらずＬＣＤ表示部８にＴＶ受信画像が表示されないが、消費電力の小さなＬＥＤ表示部４に受信状態が表示されるため、故障と誤認することを防ぎ不安感をなくすことができる。  
また、ＬＥＤ表示部４に受信状態が表示されるため、ユーザは、蓋を閉じた状態で携帯端末を所持していてもＴＶ受信状態を知ることができる。
【図面の簡単な説明】
【００２３】
【図１】本発明の実施例に係る携帯端末のＴＶ機能関連の主要部の構成を示すブロック図。
【図２】本発明の実施例に係る携帯端末の制御部のＴＶモードにおける動作フローチャート。
【符号の説明】
【００２４】
１  ＴＶアンテナ
２  蓋開閉スイッチ
３  制御部
４  ＬＥＤ表示部
５  ＴＶ受信部
６  デコーダ
７  ＬＣＤコントローラ
８  ＬＣＤ表示部
９  電源オンオフ部
１００  携帯端末
【図１】
2006180178.tif 000003
【図２】
2006180178.tif 000004